(57)【要約】      （修正有）【課題】ポケットティッシュを整列して保管収納でき、必要な場合に１個づつ取り出すことのできる、収納容器からのポケットティッシュ取り出し装置を提供する。【解決手段】ポケットティッシュ収納容器１の底板の上に摺動自在に配置した可動板２の前端部を手の平等で箱内方に押すことにより、積載してあるポケットティッシュ３が可動板の上に乗り、可動板に設けたばね装置が箱の後部内壁に弾発力により付勢され、可動板を押す力を解除すれば、ばね装置によりポケットティッシュの後部を稼働板の後端立ち上げ部が保持しながら可動板は箱前方に復元移動する。箱前面底部はポケットティッシュ１個分が通過できる穴が開いているため、１個のポケットティッシュが箱から突出する。箱の側面に設けた長穴１ｄに可動板側部に設けた突起２ｄが当接し、その動きを止める。【選択図】図１
0003174995.tif 000002
【実用新案登録請求の範囲】
【請求項１】
容器前面下部にポケットティッシュ１個分が通過できる穴を設けたポケットティッシュを順次多段に積み重ねた収納容器であって、後端両側に立ちあがりを有し中央後部にばね装置を設け側面に容器の下部側面に設けた長穴と摺動係合するための突起を有する可動板を容器の底板の上に摺動自在に配置したことを特長とするポケットティッシュ取り出し装置。
【考案の詳細な説明】
【技術分野】
【０００１】  本考案は、ポケットティッシュを整列して保管収納でき、必要な場合に１個づつ取り出すことのできる、収納容器からのポケットティッシュ取り出し装置に関するものである。
【背景技術】
【０００２】  この種のポケットティッシュを整列して保管する容器に関しては以下の特許文献で示された技術がある。
【先行技術文献】
【特許文献】
【０００３】
【特許文献１】  特開平９−２２４７２９
【特許文献２】  特開２０００−２９６８８９
【特許文献２】  特開平７−２５７６６６
【考案の概要】
【考案が解決しようとする課題】
【０００４】  上術の特開平９−２２４７２９公報によれば、細長い筒状の容器にポケットティッシュを順次多段に積み重ね、その一番下の容器底に設けた指の入る溝に指を入れて、最下段のポケットティッシュを引っ張り出す方式になっているが、指とティッシュとの摩擦力で引っ張りだすために、場合によりティッシュを上方に押し上げてしまい、容器下部の開口部にティッシュが引っ掛かって取り出せない事態も生ずる。【０００５】  また、特開２０００−２９６８８９公報によれば、同じく細長い筒状の容器にポケットティッシュを多段に整列して積み重ね、その容器下部に設けられた開口の上下に指が入るような小さな切り込みが設けられており、使用者はこの切り込みに親指と人差し指とで内部のポケットティッシュを挟んで摘まみだす構造になっているが、整列して積み重ねられているポケットティッシュを正確に瞬時につまみ取り引き出す作業において、注意しなければならないのは容器に指が当たることにより、指の怪我、あるいはささくれなどを引き起こす可能性があり、極めて注意を要する。【０００６】  更に、特開平７−２５７６６６公報によると、やはり細長の筒状の容器にポケットティッシュを順次多段に積み重ね、容器の最下部にポケットティッシュが１個乗るような引き出しを設け、取り出す際はこの引き出しのつまみを指で挟んで手前に引き出すことで、最下段に積まれていたポケットティッシュを取り出すことができる構造が示されている。【０００７】  これらの公報の内容技術に共通することは、容器に収納されているポケットティッシュを取り出す際は、必ず指を巧みに使って動作しなければならない点である。
そのため指を用いる危険性と労力を少しでも解消させることが課題である。
【課題を解決するための手段】
【０００８】  ポケットティッシュ収納容器の底板の上に摺動自在に配置した可動板の前端部を手の平等で箱内方に押すことにより、積載してあるポケットティッシュが可動板の上に乗り、可動板に設けたばね装置が箱の後部内壁に弾発力により付勢され、可動板を押す力を解除すれば、ばね装置によりポケットティッシュの後部を稼働板の後端立ち上げ部が保持しながら可動板は箱前方に復元移動する。箱前面底部はポケットティッシュ１個分が通過できる穴が開いているため、１個のポケットティッシュが箱から突出する。箱の側面に設けた長穴に可動板側部に設けた突起が当接し、その動きを止める。
【考案の効果】
【０００９】これにより、必要な時にポケットティッシュを入手するのに、指などによる綿密な動作を伴わず、また指先に怪我を負う心配もなく、ワンタッチで素早く確実に容器からポケットティッシュ１個を入手できる。
【図面の簡単な説明】
【００１０】
【図１】  本考案のポケットティッシュ取り出し装置の全体像を示す。
【図２】  本考案のポケットティッシュ収納容器の底部を示す。
【図３】  可動板を示す
【図４】  可動板が供給装置から突出した状態を示す部分断面図
【図５】  可動板が供給装置内に押し込まれた状態を示す部分断面図
【図６】  可動板の別の実施例を示す。
【実施例】
【００１１】  本考案のポケットティッシュ収納及び供給装置につき、図４及び図５に示した可動板の作動原理図により、ポケットティッシュが収納容器から１個づつ確実に取り出せることを説明する。
図４は、可動板２が、可動板後端に配接されたばね装置２ｃが容器１の内壁により付勢されて可動板前端面２ａが容器１の外方へ突出して係止している状態を示しており、その突出量は可動板２の側部突起２ｄが容器側面の長穴１ｄの前方端に係止して制限されている。ポケットティッシュ３は可動板２の上に乗り、可動板後端立ち上げ２ｂにより可動板２とともに容器１の外方に突出している。この状態でポケットティッシュ３を摘まんで取り出すことができる。ポケットティッシュ３の厚みよりわずか大きい寸法の容器前部下部の穴１ａにより、容器１の外方に突出しているポケットティッシュ３を取り出しても、その上に積まれているポケットティッシュは一緒に引き出されずに、容器１の内部に留まっている。【００１２】  次に、図５を参照しながら可動板２の作動態様を説明する。図４の状態から手の平などで可動板２の前面２ａを容器１の内方に押し込む。このとき可動板２の側面突起２ｄが容器側面の長穴１ｄの後端に当接しそれ以上押し込めなくなるが、この状態で可動板２の後端立ち上げ２ｂは箱後部の穴１ｂにもぐりこみ、次に準備されたポケットティッシュ３が可動板２の上に乗る。この状態で可動板２の一部に設けられたばね装置２ｃと箱後部内面とは付勢状態にあり、可動板前面２ａに加えていた力を解除すると直ちにばね装置２ｃの復元力により可動板２は箱１の外方に突出する動きを行う。その突出行為は可動板側面に設けた突起２ｄが容器側面の長穴１ｄの前端に当接して係止する。この状態が図４である。
このようにして、突出した可動板２に乗っているポケットティッシュをとり出し、その後可動板を止まるまで手のひら等で容器内方に押し込んで手を話せば自動的に次のポケットティッシュが繰り出される。【００１３】  可動板２を容器１に挿入するには、一対の可動板２の側部突起２ｄを指などでつまんで容器１の下部前面穴１ａから差し込んでやれば良く、そのまま更に可動板２を押しこんで行くと、可動板２の側部突起２ｄは容器側面長穴１ｄにパチンと入り込む。
これで可動板２の容器１への挿入作業は終わる。容器１から可動板２を抜きたい場合は、可動板側部突起２ｄを容器１の外側から内側に向けて押し込んであげれば、可動板２のばね装置２ｃの作用で可動板２は容器１の下部全面穴１ａの方へ移動し、容器１から簡単に抜き取ることができる。
可動板側面に設けた突起２ｄが容器側面の長穴１ｄに摺動自在に係合することは、可動板２を押しこんだ際に、可動板がふらついてもちあがったりしないように抑え込む効果も有する。これにより、可動板２をまっすぐに容器１内に押し込むことができ、容器１内部のポケットティッシュ３を確実に取り出すことができるものである。【００１４】  なお、容器１自体は木製でもプラスティック製でも良く、実施例では容器前面は内部のポケットティッシュ３の状態が視認できるように透明部材で構成してあるが、不透明な材質でも良く、またそこに小さな穴をいくつか開けたり、長穴を開けて内部のポケットティッシュの積み重ね具合いが視認できるようにしても良い。
さらに、可動板２のばね装置２ｃは、実施例においては可動板２と一体でひげ状の突起で構成しているが、図６に示すようにパンタグラフ状で構成しても良く、また可動板とは別部材のばね装置、たとえばコイルばね等を取り付けても良い。
【符号の説明】
【００１５】  １    容器
１ａ  容器下部前面穴
１ｂ  容器下部後面穴
１ｄ  容器側面長穴
２    可動板
２ａ  可動板前面
２ｂ  可動板後端立ち上げ
２ｃ  可動板ばね装置
２ｄ  可動板側部突起
３    ポケットティッシュ
２０    別の実施例の可動板
２０ａ  別の実施例の可動板前面
２０ｂ  別の実施例の可動板後端立ち上げ
２０ｃ  別の実施例の可動板ばね装置
２０ｄ  別の実施例の可動板側部突起
【図１】
0003174995.tif 000003
【図２】
0003174995.tif 000004
【図３】
0003174995.tif 000005
【図４】
0003174995.tif 000006
【図５】
0003174995.tif 000007
【図６】
0003174995.tif 000008